(57)【要約】【課題】複数の表示画面をより有効的に使用することが可能な画面制御装置を提供する。【解決手段】記憶部９０１は、複数の表示画面のそれぞれに対応する明るさを示すデータを記憶する。制御部９０２は、複数の表示画面の姿勢を検出する検出部の検出結果に基づいて、複数の表示画面のうち表示を行う表示画面を実行画面として選択し、記憶部９０１に記憶されたデータに基づいて、実行画面にその実行画面に対応した明るさで表示を行わせる。【選択図】図９
2014229233.tif 000002
【特許請求の範囲】
【請求項１】
複数の表示画面のそれぞれに対応する明るさを示すデータを記憶する記憶部と、
前記複数の表示画面の姿勢を検出する検出部の検出結果に基づいて、前記複数の表示画面のうち表示を行う表示画面を実行画面として選択し、前記データに基づいて、前記実行画面に当該実行画面に対応した明るさで表示を行わせる制御部と、を有する画面制御装置。
【請求項２】
前記記憶部は、前記表示画面に表示する表示情報を生成するプログラムごとに、前記データを記憶し、
前記制御部は、前記データのうち、前記表示画面に表示を行わせる際に当該表示画面に表示する表示情報を生成するプログラムに対応するデータに基づいて、前記実行画面に当該実行画面に対応した明るさで表示を行わせる、請求項１に記載の画面制御装置。
【請求項３】
前記制御部は、前記検出結果に基づいて、各表示画面が向いている方向の相対的な関係である方向関係と、各表示画面の位置の相対的な関係である位置関係とを判別し、前記方向関係および前記位置関係に基づいて、前記実行画面を選択する、請求項１または２に記載の画面制御装置。
【請求項４】
前記表示画面は、２つあり、
前記制御部は、各表示画面が互いに反対方向を向いている場合、前記複数の表示画面のうち上側にある表示画面を前記実行画面として選択する、請求項３に記載の画面制御装置。
【請求項５】
前記表示画面は、２つあり、
前記制御部は、各表示画面が互いに同一方向を向いている場合、前記複数の表示画面のうち下側にある表示画面を前記実行画面として選択する、請求項３または４に記載の画面制御装置。
【請求項６】
前記制御部は、特定の動作が行われている場合、前記複数の表示画面のうち予め定められた表示画面を前記実行画面として選択する、請求項１ないし５のいずれか１項に記載の画面制御装置。
【請求項７】
前記制御部は、前記実行画面に当該実行画面に対応する明るさを示す情報の表示を行わせる、請求項１ないし６のいずれか１項に記載の画面制御装置。
【請求項８】
複数の表示画面と、
前記複数の表示画面の姿勢を検出する検出部と、
前記複数の表示画面のそれぞれに対応する明るさを示すデータを記憶する記憶部と、
前記検出部の検出結果に基づいて、前記複数の表示画面のうち表示を行う表示画面を実行画面として選択し、前記データに基づいて、前記実行画面に当該実行画面に対応した明るさで表示を行わせる制御部と、を有する情報処理装置。
【請求項９】
複数の表示画面のそれぞれに対応する明るさを示すデータを記憶し、
前記複数の表示画面の姿勢を検出する検出部の検出結果に基づいて、前記複数の表示画面のうち表示を行う表示画面を実行画面として選択し、
前記データに基づいて、前記実行画面に当該実行画面に対応した明るさで表示を行わせる、表示制御方法。
【請求項１０】
複数の表示画面のそれぞれに対応する明るさを示すデータを記憶する手順と、
前記複数の表示画面の姿勢を検出する検出部の検出結果に基づいて、前記複数の表示画面のうち表示を行う表示画面を実行画面として選択する手順と、
前記データに基づいて、前記実行画面に当該実行画面に対応した明るさで表示を行わせる手順と、をコンピュータに実行させるためのプログラム。
【発明の詳細な説明】
【技術分野】
【０００１】
本発明は、複数の表示画面を制御する画面制御装置に関する。
【背景技術】
【０００２】
近年、スマートフォンや電子書籍端末のような情報処理装置には、複数の表示画面を備えたものがある。複数の表示画面を備えた情報処理装置は、表示画面を１つだけ備えた情報処理装置と比べて利便性が高いが、複数の表示画面に表示を行わせるために、消費電力が高いという問題がある。
【０００３】
これに対して特許文献１に記載の携帯端末は、２つ折りに折り返し可能な筐体と、筐体を折り返した状態のときに表裏両面のそれぞれに配置される表示画面と、姿勢を検出する姿勢情報取得手段とを備え、姿勢情報取得手段を用いて、筐体を折り返した状態において下側にある表示画面を特定し、その下側にある表示画面による表示を停止することで、消費電力の削減を図っている。
【先行技術文献】
【特許文献】
【０００４】
【特許文献１】特開２０１０−１４０４１０号公報
【発明の概要】
【発明が解決しようとする課題】
【０００５】
しかしながら、特許文献１に記載の携帯装置では、上側にある表示画面がどの表示画面であったとしても、同じ明るさで表示が行われるので、表示画面の明るさを調整する場合には、調整メニューなどを利用しなければならず、利便性が低いという問題がある。
【０００６】
本発明の目的は、利便性を向上させることが可能な画面制御装置、情報処理装置、表示制御方法およびプログラムを提供することである。
【課題を解決するための手段】
【０００７】
本発明による画面制御装置は、複数の表示画面のそれぞれに対応する明るさを示すデータを記憶する記憶部と、前記複数の表示画面の姿勢を検出する検出部の検出結果に基づいて、前記複数の表示画面のうち表示を行う表示画面を実行画面として選択し、前記データに基づいて、前記実行画面に当該実行画面に対応した明るさで表示を行わせる制御部と、を有する。
【０００８】
また、本発明による情報処理装置は、複数の表示画面と、前記複数の表示画面の姿勢を検出する検出部と、前記複数の表示画面のそれぞれに対応する明るさを示すデータを記憶する記憶部と、前記検出部の検出結果に基づいて、前記複数の表示画面のうち表示を行う表示画面を実行画面として選択し、前記データに基づいて、前記実行画面に当該実行画面に対応した明るさで表示を行わせる制御部と、を有する。
【０００９】
また、本発明による表示制御方法は、複数の表示画面のそれぞれに対応する明るさを示すデータを記憶し、前記複数の表示画面の姿勢を検出する検出部の検出結果に基づいて、前記複数の表示画面のうち表示を行う表示画面を実行画面として選択し、前記データに基づいて、前記実行画面に当該実行画面に対応した明るさで表示を行わせる。
【００１０】
本発明によるプログラムは、複数の表示画面のそれぞれに対応する明るさを示すデータを記憶する手順と、前記複数の表示画面の姿勢を検出する検出部の検出結果に基づいて、前記複数の表示画面のうち表示を行う表示画面を実行画面として選択する手順と、前記データに基づいて、前記実行画面に当該実行画面に対応した明るさで表示を行わせる手順と、をコンピュータに実行させる。
【発明の効果】
【００１１】
本発明によれば、利便性を向上させることが可能になる。
【図面の簡単な説明】
【００１２】
【図１】本発明の第１の実施形態の表示装置の外観を示す図である。
【図２】筐体の開閉状態と表示画面の方向状態との対応の一例を説明するための図である。
【図３】筐体の開閉状態と表示画面の方向状態との対応の一例を説明するための図である。
【図４】本発明の第１の実施形態の表示装置の機能的な構成を示すブロック図である。
【図５】本発明の第１の実施形態の表示装置の動作を説明するためのフローチャートである。
【図６】本発明の第２の実施形態の表示装置の機能的な構成を示すブロック図である。
【図７】本発明の第２の実施形態の表示装置の外観を示す図である。
【図８】本発明の第２の実施形態の表示装置の動作を説明するためのフローチャートである。
【図９】本発明の第３の実施形態の表示制御装置の機能的な構成を示すブロック図である。
【図１０】本発明の第３の実施形態の表示装置の動作を説明するためのフローチャートである。
【発明を実施するための形態】
【００１３】
以下、本発明の実施形態について図面を参照して説明する。なお、以下の説明では、同じ機能を有するものには同じ符号を付け、その説明を省略する場合がある。
【００１４】
図１は、本発明の第１の実施形態の表示装置の外観を示す図である。なお、表示装置は、例えば、携帯電話機、スマートフォン、ゲーム機、ＰＣ（Personal computer）、ＰＤＡ（Personal Digital Assistants：携帯情報端末）、デジタルカメラ、デジタルテレビ、電子辞書端末または電子書籍端末などの情報処理装置である。なお、ＰＣは、ノート型ＰＣやタブレット型ＰＣなどを含む。
【００１５】
図１に示すように本実施形態の表示装置１００は、２つの筐体１０１Ａおよび１０１Ｂを開閉可能に接続したものであり、筐体１０１Ａおよび１０１Ｂのそれぞれに表示画面が備わっている。ここでは、筐体１０１Ａに備わった表示画面を表示画面２０１Ａとし、筐体１０１Ｂに備わった表示画面を表示画面２０１Ｂとしている。なお、筐体１０１Ａおよび１０１Ｂを開閉可能に接続する機構としては、ヒンジ機構などが挙げられる。
【００１６】
図２および図３は、筐体１０１Ａおよび１０１Ｂの開閉状態と、表示画面２０１Ａおよび２０１Ｂのそれぞれが向いている方向の相対的な関係である方向関係との対応を説明するための図である。
【００１７】
図２（ａ）および図３に示すように、筐体１０１Ａおよび１０１Ｂが閉じた状態では、表示装置１００の一面（表面とする）に表示画面２０１Ａが配置され、表面の反対側の面（裏面とする）に表示画面２０１Ｂが配置されることになる。この場合、表示画面２０１Ａおよび２０１Ｂは、互いに反対方向を向いた状態となる。
【００１８】
そして、筐体１０１Ａおよび１０１Ｂを閉じた状態から図２（ｂ）に示すように筐体１０１Ａおよび１０１Ｂを、開閉軸を中心に回転させていくと、図２（ｃ）に示すように筐体１０１Ａおよび１０１Ｂが開いた状態になる。この開いた状態では、表示画面２０１Ａおよび２０１Ｂは、同一平面上に配置され、互いに同じ方向を向いた状態となる。
【００１９】
図４は、表示装置１００の機能的な構成を示すブロック図である。図４に示すように表示装置１００は、表示画面２０１Ａおよび２０１Ｂと、姿勢検出部２０２と、画面制御部２０３とを有する。
【００２０】
表示画面２０１Ａおよび２０１Ｂは、種々の情報を表示する。
【００２１】
姿勢検出部２０２は、表示装置１００（具体的には、表示画面２０１Ａおよび２０１Ｂ）の姿勢を検出する検出部である。姿勢検出部２０２は、例えば、所定の検出軸に対する筐体１０１Ａおよび１０１Ｂのそれぞれの傾きを表示装置１００の姿勢として検出するものでもよいし、所定の検出軸に対する筐体１０１Ａおよび１０１Ｂの一方の傾きと、筐体１０１Ａおよび１０１Ｂの開閉状態とを表示装置１００の姿勢として検出するものでもよい。なお、傾きを検出するものとしては、３軸加速度センサのような加速度センサ、３軸ジャイロセンサのようなジャイロセンサ、および、それらの組み合わせなどが挙げられる。また、筐体１０１Ａおよび１０１Ｂの開閉状態は、例えば、筐体１０１Ａおよび１０１Ｂの成す角度である開閉角度で表される。
【００２２】
画面制御部２０３は、表示画面２０１Ａおよび２０１Ｂを制御する画面制御装置である。
【００２３】
画面制御部２０３は、具体的には、記憶部３０１と、制御部３０２とを有する。
【００２４】
記憶部３０１は、表示画面２０１Ａおよび２０１Ｂのそれぞれに対応する明るさを示すデータである明るさデータを記憶する。ここで、表示画面２０１Ａおよび２０１Ｂのそれぞれに対応する明るさは、例えば、表示画面２０１Ａおよび２０１Ｂを照らす光源の輝度などである。明るさデータは、予め設定されてもよいし、表示装置１００を使用するユーザにて設定されてもよい。また、記憶部３０１は、明るさデータを、表示画面２０１Ａおよび２０１Ｂに表示する表示情報を生成するプログラムごとに記憶してもよい。なお、プログラムは、アプリケーションプログラムやＯＳ（Operating System）などである。
【００２５】
制御部３０２は、姿勢検出部２０２の検出結果に基づいて、表示画面２０１Ａおよび２０１Ｂのうち表示を行う表示画面を実行画面として選択し、記憶部３０１に記憶された明るさデータに基づいて、実行画面をその実行画面に対応する明るさで表示を行わせる。このとき、記憶部３０１がプログラムごとに明るさデータを記憶している場合、制御部３０２は、明るさデータのうち、表示画面２０１Ａおよび２０１Ｂに表示を行わせる際にその表示画面に表示する表示情報を生成するプログラムに対応する明るさデータに基づいて、実行画面をその実行画面に対応した明るさで表示を行わせる。
【００２６】
なお、制御部３０２は、プログラムが生成した表示情報に加えて、実行画面に対応する明るさを示す明るさ情報を実行画面に表示してもよい。なお、明るさ情報は、文字でもよいし、図形でもよい。
【００２７】
以下、姿勢検出部２０２が筐体１０１Ａの検出軸に対する傾きと、筐体１０１Ａおよび１０１Ｂの開閉角度とを姿勢として検出する場合を例にとって、制御部３０２が実行画面を選択する処理についてより詳細に説明する。
【００２８】
上記の場合、制御部３０２は、検出結果に基づいて、各表示画面２０１Ａおよび２０１Ｂが向いている方向の相対的な関係である方向関係と、各表示画面２０１Ａおよび２０１Ｂの位置の相対的な関係である位置関係とを判別する。
【００２９】
例えば、制御部３０２は、先ず、検出結果のうちの開閉角度に基づいて、筐体１０１Ａおよび１０１Ｂの開閉角度が閾値以上か否かを判断し、その判断結果に基づいて方向関係を判別する。具体的には、制御部３０２は、開閉角度が閾値未満の場合、各表示画面２０１Ａおよび２０１Ｂが互いに反対方向を向いていると判別し、開閉角度が閾値以上の場合、各表示画面２０１Ａおよび２０１Ｂが互いに同じ方向を向いていると判別する。
【００３０】
続いて、制御部３０２は、判別した方向関係と、検出結果のうちの筐体１０１Ａの傾きとに基づいて、位置関係を判別する。
【００３１】
例えば、各表示画面２０１Ａおよび２０１Ｂが互いに反対方向を向いている場合、制御部３０２は、筐体１０１Ａの傾きに基づいて、筐体１０１Ａに備わった表示画面２０１Ａが上側を向いているか下側を向いているかを判断する。そして、制御部３０２は、表示画面２０１Ａが上側を向いている場合、表示画面２０１Ａが表示画面２０１Ｂよりも上側にあり、表示画面２０１Ａが下側を向いている場合、表示画面２０１Ａが表示画面２０１Ｂよりも下側にあると判断する。
【００３２】
また、各表示画面２０１Ａおよび２０１Ｂが互いに同じ方向を向いている場合、制御部３０２は、筐体１０１Ａの傾きに基づいて、筐体１０１Ａの筐体１０１Ｂと接続される端辺である第１の辺が第１の辺と対向する第２の辺より上側にあるか下側にあるかを判断する。そして、制御部３０２は、第１の辺が第２の辺より上側にある場合、表示画面２０１Ａが表示画面２０１Ｂよりも下側にあると判断し、第１の辺が第２の辺より下側にある場合、表示画面２０１Ａが表示画面２０１Ｂよりも上側にあると判断する。
【００３３】
位置関係および方向関係を判別した場合、制御部３０２は、その位置関係および方向関係に基づいて、表示画面２０１Ａおよび２０１Ｂから実行画面を選択する。例えば、制御部３０２は、表示画面２０１Ａおよび２０１Ｂが互いに反対方向を向いている場合、表示画面２０１Ａおよび２０１Ｂのうち上側にある表示画面を実行画面として選択し、表示画面２０１Ａおよび２０１Ｂが互いに同じ方向を向いている場合、表示画面２０１Ａおよび２０１Ｂのうち下側にある表示画面を実行画面として選択する。
【００３４】
次に表示装置１００の動作を説明する。
【００３５】
図５は、表示装置１００の動作を説明するためのフローチャートである。なお、以下では、表示画面２０１Ａおよび２０１Ｂの一方に特定のアプリケーションプログラムが生成した表示情報が表示されているものとする。
【００３６】
先ず、制御部３０２は、姿勢検出部２０２から検出結果を受け付け、その検出結果に基づいて、表示画面２０１Ａおよび２０１Ｂの方向関係および位置関係を判別する（ステップＳ５０１）。
【００３７】
続いて、制御部３０２は、方向関係および位置関係に基づいて、表示画面２０１Ａおよび２０１Ｂから実行画面を選択する（ステップＳ５０２）。
【００３８】
そして、制御部３０２は、選択した実行画面に表示が行われているか否かを確認する（ステップＳ５０３）。
【００３９】
実行画面に表示が行われていない場合、制御部３０２は、特定のアプリケーションプログラムに対応する明るさデータを記憶部３０１から取得し、その明るさデータに基づいて、実行画面に対応する明るさを特定する（ステップＳ５０４）。一方、実行画面に表示が行われている場合、制御部３０２は、ステップＳ５０１の処理に戻る。
【００４０】
ステップＳ５０４で明るさを特定すると、制御部３０２は、特定した明るさで実行画面に特定のアプリケーションプログラムが生成した表示情報の表示を行わせる（ステップＳ５０５）。そして、制御部３０２は、実行画面とは別の表示画面による表示を停止し（ステップＳ５０６）、ステップＳ５０１の処理に戻る。
【００４１】
なお、以上説明した構成および動作は一例であり、その構成および動作には限定されない。
【００４２】
例えば、制御部３０２は、表示画面２０１Ａおよび２０１Ｂが互いに反対方向を向いている状態のときだけ、表示画面２０１Ａおよび２０１Ｂから実行画面を選択し、表示画面２０１Ａおよび２０１Ｂが互いに同じ方向を向いている状態では、表示画面２０１Ａおよび２０１Ｂの両方に表示を行わせてもよい。このとき、制御部３０２は、表示画面２０１Ａおよび２０１Ｂの両方に同じ明るさで表示を行わせてもよい。
【００４３】
また、筐体１０１Ａおよび１０１Ｂを開閉可能に接続することで、表示画面２０１Ａおよび２０１Ｂの方向関係を変更することが可能になっていたが、表示画面２０１Ａおよび２０１Ｂの両方を単一の筐体に設けるなどして、方向関係が固定されるようにしてもよい。さらに、表示画面は、３つ以上あってもよい。
【００４４】
以上説明したように本実施形態によれば、複数の表示画面の姿勢に基づいて、表示を行う実行画面が選択され、選択された実行画面がその実行画面に対応した明るさで表示される。
【００４５】
このため、表示画面の明るさを調整するための調整メニューなどを使用しなくても、姿勢を変えるだけで、表示画面の明るさを変えることが可能になるので、表示画面の明るさを容易に変えることが可能になる。したがって、利便性を向上させることが可能になる。
【００４６】
さらに、表示される情報に応じてその情報を閲覧するのに適した明るさの表示画面をユーザに使用させることが可能になるため、複数の表示画面をより有効的に使用することが可能になる。また、複数の表示画面のうちいずれか１つだけが長時間使用されることを抑制することも可能になるので、表示画面の寿命を長くすることも可能になる。
【００４７】
また、本実施形態では、各表示画面２０１Ａおよび２０１Ｂが向いている方向の相対的な関係である方向関係と、各表示画面２０１Ａおよび２０１Ｂの位置の相対的な関係である位置関係とに基づいて、実行画面が選択されるので、ユーザが見やすい方の表示画面をより適切に実行画面として選択することが可能になる。
【００４８】
また、本実施形態では、表示画面２０１Ａおよび２０１Ｂが互いに反対方向を向いている場合、表示画面２０１Ａおよび２０１Ｂのうち上側にある表示画面が実行画面として選択されるので、ユーザが見やすい方の表示画面をより適切に実行画面として選択することが可能になる。
【００４９】
また、本実施形態では、表示画面２０１Ａおよび２０１Ｂが互いに同じ方向を向いている場合、表示画面２０１Ａおよび２０１Ｂのうち下側にある表示画面が実行画面として選択されるので、ユーザが見やすい方の表示画面をより適切に実行画面として選択することが可能になる。
【００５０】
また、本実施形態では、実行画面にその実行画面に対応する明るさを示す情報が表示されるので、実行画面の明るさが適切な否かを確認することが可能になり、より適切な明るさで表示画面を閲覧することが可能になる。このため、電力消費の低減をより効率的に図ることが可能になる。
【００５１】
次に本発明の第２の実施形態について説明する。
【００５２】
図６は、本実施形態の表示装置の機能的な構成を示す図である。図６に示す表示装置６００は、図４に示した表示装置１００の構成に加えて、送受信部６０１と、スピーカ６０２と、マイク６０３とをさらに有する。
【００５３】
送受信部６０１は、通話の際に通話データの送受信を行う。通話データは、少なくとも音声データを含む。
【００５４】
スピーカ６０２は、音声データに応じた音声を出力する。
【００５５】
マイク６０３は、音声を取得して音声データに変換して出力する。
【００５６】
図７は、表示装置６００の外観を示す図である。具体的には、図７は、スピーカ６０２、マイク６０３および姿勢検出部２０２の配置位置を示す。図７の例では、スピーカ６０２およびマイク６０３は、筐体１０１Ａに配置されている。また、姿勢検出部２０２として、加速度センサ２０２Ａが筐体１０１Ａの内部に配置されている。
【００５７】
図６の説明に戻る。制御部３０２は、第１の実施形態で説明した機能に加えて、以下の機能を有する。具体的には、制御部３０２は、送受信部６０１が受信した通話データをスピーカ６０２に出力して、スピーカから通話データに応じた音声を出力させる。また、制御部３０２は、マイク６０３から出力された音声データを通話データとして、送受信部６０１を介して送信する。
【００５８】
また、制御部３０２は、特定の動作が行われている場合、姿勢検出部２０２の検出結果に関わらず、表示画面２０１Ａおよび２０１Ｂのうち予め定められた表示画面を実行画面として選択する。
【００５９】
特定の動作は、通話などである。例えば、表示装置６００が図７で示した外観を有する場合、スピーカ６０２およびマイク６０３が筐体１０１Ａに備わっているので、筐体１０１Ｂに備わった表示画面２０１Ｂで表示が行われると、ユーザは通話中に表示画面２０１Ｂに表示された情報を閲覧しづらい。このため、制御部３０２は、通話が行われている場合、姿勢検出部２０２の検出結果に関わらず、表示画面２０１Ａを実行画面として選択することが望ましい。
【００６０】
図８は、本実施形態の表示装置６００の動作を説明するための図である。
【００６１】
先ず、制御部３０２は、特定の動作が行われているか否かを判断する（ステップＳ８０１）。
【００６２】
特定の動作が行われている場合、制御部３０２は、表示画面２０１Ａおよび２０１Ｂのうち予め定められた表示画面を実行画面として選択する（ステップＳ８０２）。その後、図５を用いて説明したステップＳ５０３〜Ｓ５０６の処理が実行される。一方、特定の動作が行われていない場合、ステップＳ５０１〜Ｓ５０６の処理が実行される。なお、本実施形態では、ステップＳ５０６の処理が終了すると、ステップＳ８０１の処理が実行される。
【００６３】
以上説明したように本実施形態では、特定の動作が行われている場合、予め定められた表示画面が実行画面として選択されるので、利便性をより向上させることが可能になる。
【００６４】
次に本発明の第３の実施形態について説明する。
【００６５】
図９は、本実施形態の表示制御装置の機能的な構成を示す図である。図９に示す表示制御装置は、記憶部９０１と、制御部９０２とを有する。
【００６６】
記憶部９０１は、複数の表示画面のそれぞれに対応する明るさを示すデータを記憶する。
【００６７】
制御部９０２は、複数の表示画面の姿勢を検出する検出部の検出結果に基づいて、複数の表示画面のうち表示を行う表示画面を実行画面として選択する。そして、制御部９０２は、記憶部９０１に記憶されたデータに基づいて、実行画面にその実行画面に対応した明るさで表示を行わせる。
【００６８】
図１０は、本実施形態の表示制御装置の動作を説明するためのフローチャートである。
【００６９】
先ず、制御部９０２は、検出部から検出結果を受け付け、その検出結果に基づいて、複数の表示画面のうち表示を行う表示画面を実行画面として選択する（Ｓ１００１）
続いて、制御部９０２は、記憶部９０１からデータを取得し、そのデータに基づいて、選択した実行画面に対応する明るさで、実行画面に表示を行わせる（ステップＳ１００２）。
【００７０】
本実施形態でも第１の実施形態と同様に、複数の表示画面の姿勢に基づいて、表示を行う実行画面が選択され、選択された実行画面がその実行画面に対応した明るさで表示されるので、利便性を向上させることが可能になる。
【００７１】
以上説明した各実施形態において、図示した構成は単なる一例であって、本発明はその構成に限定されるものではない。
【００７２】
例えば、表示装置１００および６００や表示制御装置９００の機能は、その機能を実現するためのプログラムを、コンピュータにて読み取り可能な記録媒体に記録して、この記録媒体に記録されたプログラムをコンピュータに読み込ませ実行させることで、実現されてもよい。
【符号の説明】
【００７３】
１００、６００    表示装置
１０１Ａ、１０１Ｂ    筐体
２０１Ａ、２０１Ｂ    表示画面
２０２    姿勢検出部
２０２Ａ  加速度センサ
２０３    画面制御部
３０１、９０１    記憶部
３０２、９０２    制御部
６０１    送受信部
６０２    スピーカ
６０３    マイク
９００    表示制御装置
【図１】
2014229233.tif 000003
【図２】
2014229233.tif 000004
【図３】
2014229233.tif 000005
【図４】
2014229233.tif 000006
【図５】
2014229233.tif 000007
【図６】
2014229233.tif 000008
【図７】
2014229233.tif 000009
【図８】
2014229233.tif 000010
【図９】
2014229233.tif 000011
【図１０】
2014229233.tif 000012